(57)【要約】  【課題】  水質調査、土質調査、ゲルによる地下空洞閉塞調査等のため地下水、汚泥、ゲル状物質等試料を採取するのに好適な試料採取装置及び方法を提供する。  【解決手段】  本発明の試料採取装置は、所定の深度掘削後の地下水、汚泥、ゲル状物質等の試料を採取する試料採取装置であって、掘削された孔内に挿入され、外周部に前記試料が内部に流入可能な開口部が形成されたサンプラー外ケース（１１）と、このサンプラー外ケース（１１）内に設けられ、一方の端部を開口し内部に前記試料を採取、収容するサンプラー（３０）と、前記サンプラー外ケース（１１）の下部に装入され、前記サンプラー（３０）の一方の端部と係脱可能な閉塞部材（５０）と、前記サンプラー外ケース（１１）内に移動可能に設けられ、前記サンプラー（３０）の他方の端部に荷重を付与して前記サンプラー（３０）と前記閉塞部材（５０）とを係合させる荷重付与手段（４０）とからなる。  【選択図】  図１
2005325615.tif 000002
【特許請求の範囲】
【請求項１】
所定の深度掘削後の試料を採取する試料採取装置であって、
掘削された孔内に挿入され、外周部に前記試料が内部に流入可能な開口部が形成されたサンプラー外ケースと、
このサンプラー外ケース内に昇降移動可能に設けられ、一方の端部を前記試料が流入する開口部とし、内部を前記流入した試料が収容される収容部とするサンプラーと、
前記サンプラー外ケースの下部に装入され、前記サンプラーの下端部と係脱可能な閉塞部材と、
前記サンプラー外ケース内に移動可能に設けられ、前記サンプラーに上端部側から荷重を付与して前記サンプラーと前記閉塞部材とを係合させる荷重付与手段と
を備えてなる試料採取装置。
【請求項２】
請求項１に記載された試料採取装置であって、
前記サンプラーは、ワイヤーに吊り下げられて前記サンプラー外ケース内を昇降するものであることを特徴とする試料採取装置。
【請求項３】
請求項２に記載された試料採取装置であって、
前記荷重付与手段は、前記ワイヤーに係脱可能に設けられたハンマー部が所定の重量を有し、前記ハンマー部が前記ワイヤーで持ち上げられた位置で前記ワイヤーとの係合が解除され、落下するとき前記サンプラーの上端部を打撃し、前記サンプラーが前記閉塞部材に係合するように荷重を付与するものであることを特徴とする試料採取装置。
【請求項４】
請求項１から３のいずれかの項に記載された試料採集装置であって、
前記閉塞部材の係合面又は前記サンプラーの係合面の少なくともどちらか一方に、前記サンプラー内に採取された前記試料が前記サンプラー外に漏出するのを防止するためのシール部材が設けられていることを特徴とする試料採取装置。
【請求項５】
請求項１から４のいずれかの項に記載された試料採集装置であって、
前記サンプラー外ケースは、前記閉塞部材を一つ又は複数個装入可能に形成されているものであることを特徴とする試料採取装置。
【請求項６】
請求項１から５のいずれかの項に記載された試料採集装置であって、
前記試料は、液体、泥状体及びゲル状物質の少なくとも１種を含むものであることを特徴とする試料採取装置。
【請求項７】
請求項１に記載された試料採取装置における試料採取方法であって、
前記サンプラー外ケースを所定の深度位置まで下降させ、
前記サンプラー外ケースの開口部から前記試料を前記サンプラー外ケースの内部に流入させ、
前記サンプラーを前記サンプラー外ケース内の所定の深度位置まで下降させ、
前記サンプラーの開口部から前記サンプラー内に前記試料を流入させ、
前記荷重付与手段による前記サンプラーに上端部側から荷重を付与することで、前記サンプラーの下端部と前記閉塞部材とを係合させて、前記サンプラー内に前記試料を収容し、
前記サンプラーを地上に上昇させて回収する試料採取方法。
【発明の詳細な説明】
【技術分野】
【０００１】
本発明は、水質調査、土質調査、ゲルによる地下空洞閉塞調査等のため地下水等の液体、汚泥等の泥状体、ゲル状物質等試料をサンプラーで採取する試料採取装置及び採取方法に関する。さらに詳しくは、ボーリングで掘削した孔内を利用して、所定の深度の地下水等液体、汚泥等泥状体、ゲル状物質等試料をサンプラーで採取する試料採取装置及び試料採取方法に関する。
【背景技術】
【０００２】
ボーリングで掘削した孔内を利用して、所定の深度の地下水、汚泥、ゲル状物質等の試料を採取（サンプリング）する場合、ワイヤーやサンプラー外ケースでサンプラーを降下させ採取を行う。その一つの方法として、所定の深度に到達後、タイマで所定時間遅らせてサンプラーの採取口を開き試料を採取する方法があった。また、所定の深度まで採取口を開放したサンプラーを降下させ、所定の深度に到達した後、採取口を閉じて試料を採取する方法もあった。
【０００３】
従来の技術を具体例に基づいて説明を行うと、採取器の外殻ケースの試料取り入れ口を外殻ケースに仮止めされたウェイト体で閉塞しておき、この状態で試料を採取する任意の深さまで採取器を下降させ、下降を急停止させるなど衝撃を与えてウェイト体の仮止めを解除して試料取り入れ口を開口させるものがあった（例えば、特許文献１）。
【０００４】
また、試料採取管の下部にヒンジ開閉式の開閉蓋を主体とする開閉機構を設け、地中に圧入時にはフラッパが受ける圧入抵抗で開閉蓋を開き、引き抜き時にはフラッパが受ける引き抜き抵抗で開閉蓋を閉じるものもあった（例えば、特許文献２）。さらに、略半円状の長尺部材を２枚重ね合わせ、開放状態の長尺部材を施工終了直後の改良地盤に挿入し、所定の深度に達すると、一方の長尺部材に対して他方の長尺部材を中心軸の回りに回転させて長尺採取部材を形成し試料土を取り込むものもあった（例えば、特許文献３）。
【０００５】
また、採水管である筒状本体、底蓋を所定深度の採水位置まで索条をガイドとして降下させ、その後、吸水膨潤性止水弁が取り付けられた蓋を、索条をガイドとして降下させ、筒状本体の上部開口を閉塞するものもあった（例えば、特許文献４）。さらに、採水器を吊降し、アウタチューブアセンブリが採水すべき深度のセット位置に達したときに、トッププラグ、スピアシャフト等の重量で軸方向に負荷をかけパイプ先端を開放するものもあった（例えば、特許文献５）。
【０００６】
しかしながら、特許文献１に記載された技術は、下降を急停止させたときの衝撃で線材を切断して仮止めを解除するものである。そのため、急停止させたときの衝撃で仮止めをうまく解除できなかったり、下降の途中で仮止めが解除されてしまったりなど、採取動作の信頼性に問題が生じるおそれがあった。
特許文献２、３に記載された技術は、土の採取に好適なものであり、かつ、深度の深い位置にある試料を採取するための技術ではない。すなわち、深度の深い位置にある試料を採取しようとすると、開閉蓋の開閉動作や長尺採取部材の閉方向への回転動作がたいへん困難な動作となってしまう。また、特許文献２、３の技術では、試料が地下水、汚泥、ゲル状物質等の場合、試料採取管や長尺採取部材を引き上げる時に、試料の脱落防止を完全に行うことができないという問題点が発生する。すなわち、試料の採取の確実性、信頼性に問題点があり、精度のよい試料採取を行うことできないという問題点があった。
【０００７】
特許文献４、５に記載された技術は、地下水の採水に好適なものであり、汚泥を含む泥状体、ゲル状物質の採取には向かないものであった。すなわち、開口部が上部などにあるため、試料が汚泥やゲル状物質のような場合、試料が試料ケース内に確実に流れ込んでこないという問題点が生じるおそれがあった。言い換えると、精度のよい試料採取を行うことができないという問題点が生じた。
【０００８】
一方、試料が汚泥やゲル状物質等であっても、簡素な構成で、確実にかつ信頼性高く採取できる試料採取装置及び採取方法の開発が要望されていた。特に、深度の深い位置でも使用できる試料採取装置及び試料採取方法の開発が望まれていた。
【特許文献１】実公平６−４５４５８号公報
【特許文献２】特開２００２−３２２８９４号公報
【特許文献３】特開２００２−６１１６２号公報
【特許文献４】特許第３０００４５８号公報
【特許文献５】特開２００２−１６１６９３号公報
【発明の開示】
【発明が解決しようとする課題】
【０００９】
本発明は、前述したような背景のもとになされたものであり、次のような目的を達成する。
本発明の目的は、所定の深度における地下水等の液体、汚泥等の泥状体、ゲル状物質等試料の採取を確実に精度よく行える試料採取装置及び試料採取方法を提供することにある。
【課題を解決するための手段】
【００１０】
本発明は前記した課題を解決するために、次のような手段をとる。
本発明１の試料採取装置は、所定の深度掘削後の試料を採取する試料採取装置であって、
掘削された孔内に挿入され、外周部に前記試料が内部に流入可能な開口部が形成されたサンプラー外ケースと、このサンプラー外ケース内に昇降移動可能に設けられ、一方の端部を前記試料が流入する開口部とし、内部を前記流入した試料が収容される収容部とするサンプラーと、前記サンプラー外ケースの下部に装入され、前記サンプラーの下端部と係脱可能な閉塞部材と、前記サンプラー外ケース内に移動可能に設けられ、前記サンプラーの上端部に荷重を付与して前記サンプラーと前記閉塞部材とを係合させる荷重付与手段とを備えている。
【００１１】
本発明２の試料採取装置は、本発明１において、
前記サンプラーは、ワイヤーに吊り下げられて前記サンプラー外ケース内を昇降するものであることを特徴としている。
【００１２】
本発明３の試料採取装置は、本発明２において、
前記荷重付与手段は、前記ワイヤーに係脱可能に設けられたハンマー部が所定の重量を有し、前記ハンマー部が前記ワイヤーで持ち上げられた位置で前記ワイヤーとの係合が解除され、落下するとき前記サンプラーの他方の端部を打撃し、前記サンプラーが前記閉塞部材に係合するように荷重を付与するものであることを特徴としている。
【００１３】
本発明４の試料採取装置は、本発明１から３において、
前記閉塞部材の係合面又は前記サンプラーの係合面の少なくともどちらか一方に、前記サンプラー内に採取された前記試料が前記サンプラー外に漏出するのを防止するためのシール部材が設けられていることを特徴としている。
【００１４】
本発明５の試料採取装置は、本発明１から４において、
前記ロッドは、前記閉塞部材を一つ又は複数個装入可能に形成されているものであることを特徴としている。
【００１５】
本発明６の試料採集装置は、本発明１から５において、
前記試料は、液体、泥状体及びゲル状物質の少なくとも１種を含むものであることを特徴としている。
【００１６】
本発明７の試料採取方法は、本発明１の試料採取装置における試料採取方法であって、
前記サンプラー外ケースを所定の深度位置まで下降させ、前記サンプラー外ケースの開口部から前記試料を前記サンプラー外ケースの内部に流入させ、前記サンプラーを前記サンプラー外ケース内の所定の深度位置まで下降させ、前記サンプラーの開口部から前記サンプラー内に前記試料を流入させ、前記荷重付与手段による前記サンプラーに上端部側から荷重を付与することで、前記サンプラーの下端部と前記閉塞部材とを係合させて、前記サンプラー内に前記試料を収容し、前記サンプラーを地上に上昇させて回収している。
【発明の効果】
【００１７】
本発明の試料採取装置は、スライドハンマーによる荷重でサンプラーと閉塞部材とを係合させるという簡素な構成で、試料採取の信頼性、確実性を向上させることができた。また、サンプラーを吊り下げているワイヤーを利用して、サンプラーに上端部側から荷重を付与して、サンプラーと閉塞部材とを係合させる構成としているので、構成の簡素化、信頼性向上、確実性向上図ることができた。
また、サンプラーの係合面又は閉塞部材の係合面のどちらか一方にシール部材を備えたので、サンプラーを上昇させて回収するときに試料がサンプラーの外部に漏出することがなく、地下水等の液体、汚泥等の泥状体、ゲル状物質等試料の採取に好適なものとなった。
【００１８】
さらに、ロッド内に複数の閉塞部材を装入可能にしたため、ロッドを引き上げることなくサンプラーのみを昇降させることで、継続的に試料の採取を行うことができるようになり、試料採取のための作業時間の短縮が図れ作業効率が向上した。
【発明を実施するための最良の形態】
【００１９】
本発明の実施の形態を図面に基づいて詳細に説明を行う。
図１は、本発明の試料採取装置１を示す断面図、図２は、図１をＡ−Ａ線で矢視した断面図、図３は、図１をＢ−Ｂ線で矢視した断面図、図４は、図１のＣ部を拡大した拡大断面図である。
【００２０】
本発明の試料採取装置１は、サンプラー外ケース１１、サンプラー３０、荷重付与手段４０、閉塞部材５０等から構成されている。
ワイヤラインロッド本体（以下、ロッド本体と記載する）１０の先端部（下端部）には、サンプラー外ケース（以下、外ケースと記載する）１１がねじ込まれて接続されている。外ケース１１は、この実施の形態では、第１外ケース１１ａ、第２外ケース１１ｂ、第３外ケース１１ｃからなっている。なお、外ケース１１は、試料の採取条件（例えば、深度位置等）によって一つまたは複数個接続されればよい。第１外ケース１１ａ、第２外ケース１１ｂ、第３外ケース１１ｃは、鋼材、ステンレス（ＳＵＳ）等の材料で形成されている。第１外ケース１１ａ、第２外ケース１１ｂ、第３外ケース１１ｃには、後述するサンプラー３０を外ケース１１の中心部又は略中心部に保持するためのセントラライザー１５が形成されている。
【００２１】
第３外ケース１１ｃの下端には、閉塞部材コンテナ１２がねじ込まれて接続されている。閉塞部材コンテナ１２は外ケース１１の一部（下端部）を構成している。ロッド５は、ロッド本体１０、外ケース１１、閉塞部材コンテナ１２等から構成されている。
【００２２】
閉塞部材コンテナ１２の内周部には閉塞部材（閉塞プラグ）５０が装入されている。閉塞部材コンテナ１２の端部（図１の下端部）には孔１２ａが形成されている。この実施の形態では、閉塞部材コンテナ１２内に閉塞部材５１、５２を装入した形態で説明を行っているが、閉塞部材コンテナ１２は、閉塞部材５０を一つまたは複数個装入できるものであればよい。閉塞部材５１、５２は、サンプラー体３１と対向する側の一方の端部がテーパ形状をしたプラグ係合面５１ａ、５２ａであり、ラバー製プラグになっている。閉塞部材５１、５２は、他方の端部側の一部を木製、プラスチック製等にして強度を向上させている。プラグ係合面５１ａ、５２ａには、シール部材５３が設けられている。また、閉塞部材５１、５２の他方の端部側には、テーパ状の孔５１ｂ、５２ｂが形成されており、閉塞部材５１、５２を積み重ねたときプラグ係合面５１ａ、５２ａと係合して位置決めされた状態で積み重ね、装入されている。
【００２３】
ロッド５の内周部には、サンプラー３０がワイヤー２５でロッド本体１０の軸線方向に移動可能に設けられている。サンプラー３０は、サンプラーケース３２、下側受けブロック３３、サンプラー体３１等から構成されている。サンプラー３０の上部には、ワイヤースイベル機構２１を有しているケーブルヘッド２０が設けられている。ケーブルヘッド２０はワイヤー２５に支持されている。ケーブルヘッド２０は、上部ヘッド体２２と、上部ヘッド体２２にねじ込まれて固定されている下部ヘッド体２３とからなる。上部ヘッド体２２の内周部にはテーパ状の係合穴部２２ａが形成されており、ワイヤー２５下端の係合軸部２５ａと係合する。すなわち、上部ヘッド体２２の係合穴部２２ａとワイヤー２５の係合軸部２５ａとが係合することで、ケーブルヘッド２０、サンプラー３０、荷重付与手段４０等が、ワイヤー２５に吊り下げられ支持される。
【００２４】
ケーブルヘッド２０には、ワイヤースイベル機構２１を介してスライドロッド２４の大径部２４ａが下部ヘッド体２３に支持されている。スライドロッド２４の軸部２４ｂは軸線方向に延設され、軸部２４ｂにスライドハンマー（以下、ハンマーと記載する）４４が固定されている。すなわち、ハンマー４４の雌ねじ部にスライドロッド２４の軸部２４ｂ下端の雄ねじ部２４ｃがねじ込まれ固定されている。ハンマー４４の上部には上側受けブロック４３がスライドロッド２４に案内されてスライドロッド２４の軸線方向に移動可能に設けられている。また、上側受けブロック４３の上部には、バネ部材４２を介してサンプラーヘッド４１がスライドロッド２４の軸部２４ｂに案内されてスライドロッド２４の軸線方向に移動可能に設けられている。
【００２５】
サンプラーヘッド４１下部の雄ねじ部には、サンプラーケース３２の一方の端部（図１の上端部）の雌ねじ部３２ａがねじ込まれ固定されている。サンプラーケース３２の他方の端部（図１の下端部）の雌ねじ部３２ｂには、下側受けブロック３３のねじ部３３ａがねじ込まれ固定されている。さらに、下側受けブロック３３のねじ部３３ｂにはサンプラー体３１の一方の端部（図１の上端部）の雌ねじ部３１ａがねじ込まれ固定されている。サンプラー体３１は、他方の端部（図１の下端側）側が開口していて地下水等の液体、汚泥等の泥状体、ゲル状物質等試料の流入口となる開口部３６が形成されている。なお、ここでいう液体とは、地下水、温泉水等液状のものを総称したものである。また、泥状体とは、汚泥、ヘドロ等泥状のものを総称したものである。サンプラー体３１の内部は、地下水等液体、汚泥等泥状体、ゲル状物質等試料が収容される収容部となり、サンプラー体３１の他方の側の端面部には、テーパ孔状の雌側係合面３５が形成されている。この雌側係合面３５は、閉塞部材５１の一方の側のプラグ係合面５１ａと係合して、サンプラー体３１内に収容した試料をサンプラー体３１外に流出又は漏出させないためのものでる。
【００２６】
図４は、図１のＣ部の拡大図、すなわちサンプラー体３１の雌側係合面３５と閉塞部材５１（又は閉塞部材５２）のプラグ係合面５１ａ（又はプラグ係合面５２ａ）の部位を拡大した図である。
閉塞部材５１のプラグ係合面５１ａには、シール部材５３が装着されている。また、雌側係合面３５、プラグ係合面５１ａは、断面三角形ののこぎり状の係合溝が形成してあり、一度係合すると離脱しにくいような面形状に形成されている。
【００２７】
サンプラー体３１の上部側には、複数（この実施形態では４個）の水抜き孔３４、３４が形成されている。
第１外ケース１１ａ、第２外ケース１１ｂ、第３外ケース１１ｃの所定の位置には、サンプラー３０の芯出しを行うための所定の角度ごとに複数個（この実施形態では４個）形成されたセントラライザー１５、１５（この実施の形態では４個）が、軸線方向の所定の位置に形成されている。この実施の形態では、外ケース１１ａ、１１ｂ、１１ｃの他方側（図１の下端側）に各々形成されている。外ケース１１ｃの外周部には、試料を流入させるための開口部１１ｄが複数形成されている。試料は、外ケース１１ｃの開口部１１ｄを介して外ケース１１内に流入する。すなわち、外ケース１１ｃの軸線方向中間部は、図３に示すように、４箇所の柱状の部位だけを残して他の部位は削除されている。すなわち、外ケース１１ｃの上部側と下部側とは柱状の部位のみで繋がっている。この柱状の部位は、２カ所以上設けられていればよい。このような形状とすることで、外ケース１１内に地下水等液体、汚泥等泥状体、ゲル状物質等が流入するのをたいへん容易にしている。なお、外ケース１１ａ、１１ｂも外ケース１１ｃと同様に、軸線方向中間部に開口部を形成し、上部側と下部側とを柱状の部位のみで繋がったものとしてもよい。
【００２８】
サンプラーヘッド４１の下方には、バネ部材４２を介して上部受けブロック４３が設けられている。上部受けブロック４３も内径部をスライドロッド２４の軸部２４ａに案内されてスライドロッド２４の軸線方向に移動可能になっている。バネ部材４２は、ハンマー４４側に対して、サンプラーヘッド４１、サンプラーケース３２、サンプラー体３１等を図１の上方側に押圧している。すなわち、サンプラーヘッド４１、サンプラーケース３２、サンプラー体３１等は、バネ部材４２によって、スライドロッド２４、ハンマー４４に対して浮いているような状態に支持されている。
【００２９】
このようにすることで、ワイヤー２５の巻上げ、巻き降ろし等昇降動作によって、サンプラー３０が昇降するとき、上下方向（軸線方向）の衝撃力や振動を吸収させることができる。また、ハンマー４４による荷重すなわち衝撃力（衝撃荷重）を直接サンプラー体３１に付与することができる。
【００３０】
この試料採取装置１による試料の採取方法についての説明を行う。
ボーリングで掘削した孔に、所定の外径のサンプラー３０をワイヤー２５で降下できる内径を持ったロッド５、すなわちロッド本体１０の先端に、第１外ケース１１ａ、第２外ケース１１ｂ、第３外ケース１１ｃ、閉塞部材コンテナ１２がねじ込み装着されたものを、掘削した孔内の所定の深度に降下する。なお、閉塞部材コンテナ１２内には、閉塞部材５０が必要な個数（例えば、この実施の形態では、閉塞部材５１、５２の２個）だけ装入されている。外ケース１１ｃは、軸線方向中間部が複数（例えば、この実施の形態では４箇所）の柱状の部位のみで繋いだ形状すなわち複数の開口部１１ｄが形成されたものである。すなわち、外周部のほとんどが開口した状態になっている。従って、この開口部１１ｄから外ケース１１内に、地下水等の液体はもちろん汚泥等泥状体、ゲル状物質等の試料が流入するのに何ら支障がない。
【００３１】
所定の深度に外ケース１１ａ、１１ｂ、１１ｃ、閉塞部材コンテナ１２等ロッド５を設置した後、地表のロッドねじ部を切り離す。ワイヤー２５の先端に吊り下げたサンプラー３０、荷重付与手段４０等をロッド５内に降下する。ワイヤー２５に吊り下げられたサンプラー３０等はロッド５内を所定の深度位置まで降下し、外ケース１１内にセットされる。このとき、サンプラー体３１の下端の開口部３６からサンプラー体３１の内部に、外ケース１１内に流入している地下水等の液体、汚泥等の泥状体、ゲル状物質等である試料が流入していく。
【００３２】
サンプラー体３１が外ケース１１内に設置された後、ワイヤー２５の緩みを取り除き、そのままワイヤー２５を手で引っ張った状態で、ワイヤー２５を所定の距離（例えば、1ｍ）程度引き上げて離す動作を行う。このようにすると、ケーブルヘッド２０、スライドロッド２４、ハンマー４４等が落下し、ハンマー４４が下側受け部材３３を打撃し衝撃力（衝撃荷重）を与える。この衝撃力で、サンプラー体３１の雌側係合面３５と閉塞部材５０の係合面５４とが係合し、サンプラー体３１内の試料を収容保持する。なお、このとき余分な試料は水抜き孔３４からサンプラー体３１外に流出する。この一連の動作を所定回数繰り返すことにより、サンプラー体３１の開口部を閉塞部材５０で確実に閉塞することができる。
【００３３】
なお、この実施の形態では、手でワイヤーを引き上げて離す動作を行うと説明を行ったが、ウィンチ等巻き上げ機械を使用してよいことはいうまでもない。
【００３４】
その後、ワイヤー２５を巻き上げて、サンプラー３０を回収する。このことで、サンプラー３０内の地下水等の液体、汚泥等の泥状体、ゲル状物質等試料を採取することができる。
また、閉塞部材コンテナ１２には、サンプラー体３１の開口部３６を閉塞するための閉塞部材５０が複数個必要な数量だけ装入されているので、サンプラー３０の昇降動作を繰り返すことで、ロッド本体１０、外ケース１１等ロッド５を引き上げることなく、継続して試料の採取を行うことができる。すなわち、ロッド本体１０、外ケース１１等ロッド５の深度を変えて、その深度でサンプラー３０の昇降を繰り返すだけで継続した試料採取を行うことができる。
【００３５】
以上、本発明の実施の形態について説明を行ったが、この実施の形態の説明に限定されないこともいうまでもない。
サンプラー体３１は、必要に応じて透明アクリル管等透明な部材で形成されたものとすることができる。このようにすると、試料を採取した状況を、透明アクリル管を通して目視観察することができる。
また、サンプラーにスライドハンマーによる衝撃力を付与することで、サンプラーと閉塞部材とを係合させると説明したが、サンプラー、又は、サンプラーとサンプラーに設けられるウェイト等の重量による荷重を利用して、サンプラーと閉塞部材とを係合させるものであってもよい。
その他、本発明の目的、趣旨を逸脱しない範囲内でいろいろな形状のものに変更可能である。
【図面の簡単な説明】
【００３６】
【図１】図1は、本発明の試料採取装置の断面図である。
【図２】図２は、図１をＡ−Ａ線で矢視した断面図である。
【図３】図３は、図１とＢ−Ｂ線で矢視した断面図である。
【図４】図４は、図１のＣ部を拡大した図である。
【符号の説明】
【００３７】
１…試料採取装置
５…ロッド
１０…ワイヤラインロッド本体
１１…サンプラー外ケース
１２…閉塞部材コンテナ
２０…ケーブルヘッド
２４…スライドロッド
２５…ワイヤー
３０…サンプラー
３１…サンプラー体
３４…下側受け部材
４４…スライドハンマー
５０…閉塞部材
５３…シール部材
【図１】
2005325615.tif 000003
【図２】
2005325615.tif 000004
【図３】
2005325615.tif 000005
【図４】
2005325615.tif 000006